(57)【要約】【課題】  人体に斑に照射される磁気分布を解消し、均質な磁気雰囲気を作ることが可能な磁気治療装置を提供すること。【解決手段】  磁気治療装置は、人体を横臥させるための寝台と、寝台に横臥する人体に対して磁気を照射するための複数の電磁石とを備え、複数の電磁石は、主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでおり、それら３つの電磁石群の少なくとも１つには、電磁石群に含まれる１の電磁石に対する通電極性を切り換えるための極性切換回路が具備されている.【選択図】  図１５
2005237681.tif 000002
【特許請求の範囲】
【請求項１】
人体を横臥させるための寝台と、寝台に横臥する人体に対して磁気を照射するための複数の電磁石とを備え、
前記複数の電磁石は、
主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでおり、
それら３つの電磁石群の少なくとも１つには、電磁石群に含まれる１の電磁石に対する通電極性を切り換えるための極性切換回路が具備されている、ことを特徴とする磁気治療装置。
【請求項２】
頭部電磁石群は、対をなす２個の磁極をそれぞれ有する３個の電磁石として、第１の電磁石と第２の電磁石と第３の電磁石とを含んでおり、
第１の電磁石は、その第１の磁極が寝台に仰向けに横臥する人体の後頸部と対向する位置に、第２の磁極が寝台に仰向けに横臥する人体の後頭部と対向する位置に、それぞれ位置するようにして、寝台に装着されており、
第２の電磁石は、その第１の磁極が寝台に横臥する人体の一方の側の側頭部と対向する位置に、第２の磁極が寝台に横臥する人体の他方の側の側頭部と対向する位置に、それぞれ位置するようにして、寝台に装着されており、さらに
第３の電磁石は、その第１の磁極が寝台に横臥する人体の頭頂部と対向する位置に、第２の磁極が寝台に仰向けに横臥する人体の額部と対向する位置に、それぞれ位置するようにして、寝台に装着されており、
第１の電磁石と第２の電磁石と第３の電磁石のうちのいずれかに対する通電極性を切り換えるための極性切換回路が具備されている、ことを特徴とする請求項１に記載の磁気治療装置。
【請求項３】
極性切換回路は、切換周期を規定するタイマを備えていることを特徴とする請求項１または請求項２に記載の磁気治療装置。
【請求項４】
電磁石は、
それぞれ先端部が磁極となる互いに平行な第１、第２の脚部と、それら第１、第２の脚部の後端部同士を結ぶ基部とを有する成層鉄心と、
成層鉄心の第１、第２の脚部に巻回され、かつ互いに直列接続される第１、第２の巻線と、を有し、
第１、第２の巻線間にコンデンサが接続されていることを特徴とする請求項１乃至請求項３のいずれかに記載の磁気治療装置。
【請求項５】
電磁石群毎に独立した給電経路を有し、電源投入時に電磁石群単位で所定の時間差を設けて通電することを特徴とする請求項１乃至請求項４のいずれかに記載の磁気治療装置。
【発明の詳細な説明】
【技術分野】
【０００１】
この発明は、横臥した人体に磁気を照射することにより治療効果を奏する磁気治療装置に関する。
【背景技術】
【０００２】
当業者によく知られているように、磁気を利用した磁気治療装置が種々提案されている。従来の磁気治療装置は、電磁石が敷設された寝台と、寝台に横臥した人体を上方から覆うべく内部に電磁石が敷設された上部構造体とを備えている（例えば特許文献１参照）。
【０００３】
この従来の磁気治療装置に配置される電磁石は、コの字状の成層鉄心に巻線を巻いたものであり、巻線に電流を通電したときに、成層鉄心の脚部先端から交番磁界が発生する。この電磁石はケース体に収納され、複数のケース体を回動自在に直状に連結されたベルト型磁気治療具を構成している。そして、このベルト型治療具が寝台に敷設されると共に、上部構造体の内側に固定されている。
【特許文献１】特開平７−１９４７１４号公報
【発明の開示】
【発明が解決しようとする課題】
【０００４】
しかしながら、従来の磁気治療装置では、人体が電磁石により複数方向から囲まれた空間において、人体に照射される磁気分布が斑になり、効果的な治療をすることができないという不都合がある。また、電力消費が大きい、などという問題も指摘されている。
【０００５】
この発明は、このような従来の問題点に着目して成されたものであり、その目的とするところは、人体に照射される磁気分布の不均一性を解消し、均質な磁気雰囲気を作ることが可能な磁気治療装置を提供することにある。
【０００６】
また、この発明の他の目的とするところは、消費電力を低減できる磁気治療装置を提供することにある。
【０００７】
この発明のさらに他の目的並びに作用効果については、明細書の以下の記述を参照することにより、当業者であれば容易に理解されるであろう。
【課題を解決するための手段】
【０００８】
本発明の磁気治療装置は、人体を横臥させるための寝台と、寝台に横臥する人体に対して磁気を照射するための複数の電磁石とを備え、複数の電磁石は、主として頭部領域に対する磁気照射を行うための頭部電磁石群と、主として胴部領域に対する磁気照射を行うための胴部電磁石群と、主として脚部領域に対する磁気照射を行うための脚部電磁石群とを含んでいることを前提としている。この磁気治療装置の３つの電磁石群の少なくとも１つには、電磁石群に含まれる１の電磁石に対する通電極性を切り換えるための極性切換回路が具備されている。
【０００９】
このような構成によれば、通電極性が切り換わるために磁石の極性も切り換わり、極性が切り換わった電磁石の磁気分布が変化することにより、磁気分布の斑な照射を解消し、均質な磁気雰囲気を作ることができる。
【００１０】
本発明の実施形態においては、頭部電磁石群は、対をなす２個の磁極をそれぞれ有する３個の電磁石として、第１の電磁石と第２の電磁石と第３の電磁石とを含んでおり、第１の電磁石は、その第１の磁極が寝台に仰向けに横臥する人体の後頸部と対向する位置に、第２の磁極が寝台に仰向けに横臥する人体の後頭部と対向する位置に、それぞれ位置するようにして、寝台に装着されており、第２の電磁石は、その第１の磁極が寝台に横臥する人体の一方の側の側頭部と対向する位置に、第２の磁極が寝台に横臥する人体の他方の側の側頭部と対向する位置に、それぞれ位置するようにして、寝台に装着されており、さらに、第３の電磁石は、その第１の磁極が寝台に横臥する人体の頭頂部と対向する位置に、第２の磁極が寝台に仰向けに横臥する人体の額部と対向する位置に、それぞれ位置するようにして、寝台に装着されており、第１の電磁石と第２の電磁石と第３の電磁石のうちの少なくともいずれかに対する通電極性を切り換えるための極性切換回路が具備されているように構成してもよい。
【００１１】
このような構成によれば、頭部において、第１の電磁石と第２の電磁石と第３の電磁石とで囲まれた空間において、磁石の極性が切り換わるものと、磁石の極性が切り換わらないものとが混在することにより、この空間の斑な磁気分布を解消し、この空間に均質な磁気雰囲気を作ることができる。
【００１２】
本発明の実施形態においては、極性切換回路は、切換周期を規定するタイマを備えるように構成してもよい。
【００１３】
このような構成によれば、通電極性が切り換わる切換周期によって磁石の極性も切り換わり、電磁石の磁気分布が経時的に変化することにより、磁気分布の斑な照射を解消することができる。
【００１４】
本発明の実施形態においては、電磁石は、それぞれ先端部が磁極となる互いに平行な第１、第２の脚部と、それら第１、第２の脚部の後端部同士を結ぶ基部とを有する成層鉄心と、成層鉄心の第１、第２の脚部に巻回され、かつ互いに直列接続される第１、第２の巻線と、を有し、第１、第２の巻線間にコンデンサが接続されているように構成してもよい。
【００１５】
このような構成によれば、コンデンサが接続されない場合と比べて、供給電源電流を減少させることができ、装置全体の消費電力を減少させることができる。その結果、磁気治療装置を一般家庭においても手軽に使用することができるようになる。
【００１６】
本発明の実施形態においては、電磁石群毎に独立した給電経路を有し、電源投入時に電磁石群単位で所定の時間差を設けて通電するように構成してもよい。
【００１７】
このような構成によれば、電磁石群単位で電源を投入する時間に差を設けることにより、装置全体に一括して電源を投入する場合に比べて、電源投入時のサージ電流を抑制することができる。
【発明の効果】
【００１８】
以上の説明で明らかなように、本発明によれば、寝台に横臥する人体に、均質な磁気照射をすることができる。また、消費電力を低減できるという利点を有する。
【発明を実施するための最良の形態】
【００１９】
以下に、この発明の好適な実施の一形態を添付図面を参照しながら詳細に説明する。
【００２０】
本実施形態の磁気治療装置１は、図１に示されるように、頭部ユニット２と、胴体部ユニット３と、脚部ユニット４とを備えている。各ユニット２〜４は結合されて寝台を形成する。各ユニット２〜４は、木材などの絶縁物のケース内に、寝台に仰向けに横臥される人体に磁気を照射するための複数の電磁石を備えている。
【００２１】
頭部ユニット２には、主として頭部領域に対する磁気照射を行うための頭部電磁石群が、胴体部ユニット３には、主として胴部領域に対する磁気照射を行うための胴部電磁石群が、脚部ユニット４には、主として脚部領域に対する磁気照射を行うための脚部電磁石群がそれぞれ含まれている。
【００２２】
頭部ユニット２は、図１に示されるように、頭部支持基台５上に、直方体形状の右側頭部ブロック６と、左側頭部ブロック７と、頭頂部ブロック８と、額部ブロック９とを備えている。
【００２３】
頭部電磁石群は、図２に示されるように、対をなす２個の磁極をそれぞれ有する３個の電磁石として、第１の電磁石１１と、第２の電磁石１２と、第３の電磁石１３とを含んでいる。
【００２４】
第１の電磁石１１は、頭部支持基台５に内蔵され、コの字状のコアを有している。コアは、ケイ素鋼板の小片を積層してなる成層鉄心である。コアは、基部１４の両端に垂直に脚部１５，１６が形成されると共に、脚部１５，１６の先端にそれぞれ磁極板１７，１８が形成されている。コアの脚部１５，１６には、それぞれ巻線１９，２０が巻かれている。第１の電磁石１１は、磁極板１７，１８が同一水平面に配置された磁極並置型電磁石である。磁極板１７は、寝台に仰向けに横臥する人体の後頸部と対向する位置に、磁極板１８は、寝台に仰向けに横臥する人体の後頭部と対向する位置に、それぞれ位置するようにして、頭部支持基台５に装着されている。第１の電磁石１１は、上方に横臥される人体の後頸部と後頭部に、それぞれ磁気照射することができる。
【００２５】
第２の電磁石１２は、ケイ素鋼板の小片を積層してなる成層鉄心のコアを有している。コアは、基部２１の両端に垂直にＬ字上の脚部２２，２３が形成され、Ｌ字状の脚部２２，２３の先端にそれぞれ磁極板２４，２５が形成されている。第２の電磁石１２は、磁極板２４，２５が、図２に示されるように互いに対向して配置された磁極対向型電磁石である。コアの脚部２２，２３には、それぞれ巻線２６，２７が巻かれている。第２の電磁石１２は、頭部ユニット２内で、磁極板が人体の幅方向に沿って所定間隔を空けて配置され、一方の磁極板２５が右側頭部ブロック６に、他方の磁極板２４が左側頭部ブロック７に内蔵されている。そのため、人体を横臥させて人体頭部を右側頭部ブロック６と左側頭部ブロック７とで挟んだ状態で、人体の両側頭部に磁極板２４，２５から磁気照射をすることができる。
【００２６】
第３の電磁石１３は、ケイ素鋼板の小片を積層してなる成層鉄心のコアを有している。コアは、図２に示されるように、基部が下側基部２８と上側基部２９とに上下に分割され、基部の上下両端に垂直に脚部３０，３１が形成されている。上側基部２９に連設された上方の脚部３０は、その内部から突出して下方にＬ字状に曲げられたＬ字脚部３２を有している。Ｌ字脚部３２には巻線３３が巻かれると共に、その先端に磁極板３４が下方を向いて形成されている。磁極板３４は、人体が仰向けに横臥されたときの額部に対向する位置に配置される。
【００２７】
下側基部２８に連設された下方の脚部３１には、巻線３５が巻かれると共に、その先端に磁極板３６が形成されており、磁極板３６は、人体が横臥されたときの頭頂部に対向する位置に配置されている。
【００２８】
第３の電磁石１３は、図２に示されるように、磁極板３４と磁極板３６とが直角をなす磁極直交型電磁石である。第３の電磁石１３は、頭頂部ブロック８と、額部ブロック９とにまたがって配設されており、頭頂部ブロック８には磁極板３６が、額部ブロック９には磁極板３４がそれぞれ内蔵されている。
【００２９】
第３の電磁石１３の上側基部２９は、下側基部２８を支軸に、図２示の矢印θで示されるように水平方向に回動自在に形成されている。換言すると、頭頂部ブロック８が支柱を形成し、この支柱を軸に額部ブロック９が把手３７を操作することにより水平方向に回動自在となっている（図１参照）。
【００３０】
再び、図２を参照して、第３の電磁石１３のＬ字脚部３２は、上方の脚部３０に対して、水平方向に、すなわち図２示の矢印Ｘの向きに伸縮させることができる。すなわち、額部ブロック９が、頭頂部ブロック８を支軸とした径方向（水平方向）に伸縮自在となっている（図１参照）
【００３１】
また、第３の電磁石１３のＬ字脚部３２には、垂直方向の長さを可変する機構が備えられている。このため、Ｌ字脚部３２に形成されている磁極板３４は、図２示の矢印Ｙの向き（鉛直方向）に可変させることができる。
【００３２】
次に、胴体部ユニット３は、図３に示されるように、胴体部支持基台４０に下面側胴部電磁石群が配設されており、下面側胴部電磁石群は、対をなす２個の磁極板をそれぞれ有する４個の電磁石４１〜４４を含んでいる。
【００３３】
電磁石４１はコの字状のコアを有している。コアは、ケイ素鋼板の小片を積層してなる成層鉄心である。コアは、先端に対をなす２つの磁極板４１ａ，４１ｂが形成された脚部の後端部同士を結ぶ基部４１ｃを備え、２つの脚部には、それぞれ巻線４１ｄ，４１ｅが巻かれている。電磁石４１は、磁極板４１ａ，４１ｂが同一水平面に配置された磁極並置型電磁石である。電磁石４２〜４４は、電磁石４１と同様に、対をなす第１の磁極板４２ａ〜４４ａおよび第２の磁極板４２ｂ〜４４ｂ、基部４２ｃ〜４４ｃ、第１の巻線４２ｄ〜４４ｄおよび第２の巻線４２ｅ〜４４ｅを備えた磁極並置型電磁石である。
【００３４】
電磁石４１は、磁極板４１ａ，４１ｂが、寝台に仰向けに横臥する人体の背骨の中心線を挟んで対称的な位置にそれぞれ位置するように、配置されている。磁極板４１ａ，４１ｂは、寝台に仰向けに横臥した人体の胴体背面部に対向するように配される。電磁石４２の磁極板４２ａ，４２ｂ、電磁石４３の磁極板４３ａ，４３、電磁石４４の磁極板４４ａ，４４ｂも電磁石４１と同様に配置されている。
４個の電磁石４１〜４４は、それぞれの磁極板が互いに水平となるように、背骨の中心線に沿って寝台に並列して埋設装着されている。従って、寝台に仰向けに人体が横臥されたときに、４個の電磁石４１〜４４から人体の胴体背面部に効果的に磁気照射することができる。
【００３５】
本願発明者が、４個の電磁石４１〜４４の配設間隔をできるだけ拡げて効果的な磁気照射を実現する配置を種々検討した結果、以下の知見が得られた。ここで、図４示のように、電磁石４１〜４４の２つの磁極板の間の距離をＧ、磁極板の長さをＬ、磁極板の幅をＷ、隣接した磁極板間の距離（並設された電磁石４１〜４４の間隔）をＰとする。このとき、並設された電磁石４１〜４４の間隔をできるだけ拡げて治療に効果がある磁束密度の分布を得るための好適な配置条件は、隣接磁極間距離Ｐが、磁極幅Ｗの１〜１．２倍であることである。従って、本実施形態の胴体部ユニット３は、電磁石４１〜４４がこの条件で配置される。
【００３６】
また、胴体部ユニット３の電磁石４１〜４４の配置は、人体の背骨を中心としたツボの配置に適合するように、隣接磁極板間距離Ｐ、磁極板幅Ｗ、磁極板間距離Ｇ、および磁極板長さＬを適宜定めることが効果的である。上記配置条件と合わせた具体的な数値としては、例えば、隣接磁極板間距離Ｐ＝８０〜９０ｍｍ、磁極板幅Ｗ＝８０ｍｍ、磁極板間距離Ｇ＝７０ｍｍ、磁極板長さＬ＝８０ｍｍとすると効果的である。
【００３７】
この条件で電磁石４１〜４４を配設したときの磁界の分布が図５に示されている。図５の横軸は、胴体部支持基台４０の頭部ユニット２側端部を原点に、９０ｍｍの位置を中心に電磁石４１を、２５０ｍｍの位置を中心に電磁石４２を、４２０ｍｍの位置を中心に電磁石４３を、５８０ｍｍの位置を中心に電磁石４４を配置した様子を表している。すなわち、電磁石４１と電磁石４２の間の距離Ｐは８０ｍｍ、電磁石４２と電磁石４３の間の距離Ｐは９０ｍｍ、電磁石４３と電磁石４４の間の距離Ｐは８０ｍｍとなっている。図５の縦軸は、４つの電磁石４１〜４４のそれぞれの２つの磁極板の中間点の垂直上方の距離を表している。寝台の長手方向（人体の身長方向）に沿って走査したときの磁界の分布は、図示されるように、寝台から高さ１００ｍｍの位置で寝台とほぼ平行な３０Ｇの等磁位線が得られる。また、寝台から１８０〜２００ｍｍの高さの位置で１０Ｇの磁束密度が得られる。このため、寝台に布団やマットレスなどを敷いて使用したとしても、寝台に横臥した人体に効果的な磁気照射を行うことができる。
【００３８】
この胴体部ユニット３には、図６に示されるように、胴体部支持基台４０の側部に、上面側胴部電磁石群を支持する支持機構が２つ備え付けられている。上面側胴部電磁石群は、横臥した人体の胴体部を上方から覆うことが可能な胸部照射ブロック４５（磁気照射ブロック）と腹部照射ブロック４６（磁気照射ブロック）とに内蔵された電磁石より構成される。胸部照射ブロック４５は頭部ユニット２寄りに、腹部照射ブロック４６は脚部ユニット４寄りに配設されており、胸部照射ブロック４５と、腹部照射ブロック４６とは同一の構成である。
【００３９】
支持機構は、胴体部支持基台４０の側部に立設された支柱４７と、支柱４７の上端部に軸支され、水平面内で旋回可能な第１アーム４８と、第１アーム４８の先端部に軸支され、水平面内で旋回可能な第２アーム４９と、第２アーム４９の先端に、スプリングケース５０内の圧縮バネ５１を介して垂下された吊り下げロッド５２とから構成されている。２つの支持基講は、それぞれ吊り下げロッド５２により、胸部照射ブロック４５と、腹部照射ブロック４６とを吊り下げ支持している。
【００４０】
第１アーム４８および第２アーム４９の旋回機構の詳細が図７に示されている。第１アーム４８の一端から支柱４７内部に旋回用のシャフト５３が貫通して設けられている。第１アーム４８の一端には、シャフト径と同じ径の貫通孔を有する固定部材５４が配置されている。シャフト５３は、固定部材５４の貫通孔に挿入されてネジ５５，５６により固定部材５４に固定されている。支柱４７内部には、シャフト径より僅かに大きな径の貫通孔を有する軸受部材５７，５８が固定されており、シャフト５３は軸受部材５７，５８の貫通孔に挿入されている。従って、第１アーム４８は支柱４７に対して旋回自在となっている。
【００４１】
図７に示されるように、第２アーム４９の一端から第１アーム４８の他端に旋回用のシャフト５９が貫通して設けられている。第２アーム４９の一端には、シャフト径と同じ径の貫通孔を有する固定部材６０が配置されている。シャフト５９は、固定部材６０の貫通孔に挿入されてネジ６１，６２により固定部材６０に固定されている。第１のアーム４８の他端には、シャフト径より僅かに大きな径の貫通孔を有する軸受部材６３が固定されており、シャフト５９は軸受部材６３の貫通孔に挿入されている。従って、第２アーム４９は第１アーム４８に対して旋回自在となっている。
【００４２】
スプリングケース５０と吊り下げロッド５２の詳細が図８に示されている。スプリングケース５０内には、吊り下げロッド５２が貫通した摺動部材６４および固定部材６５が備えられている。摺動部材６４は、吊り下げロッド５２の先端部に固定され、スプリングケース５０内を摺動する。固定部材６５はスプリングケース５０下端に固定され、内部を貫通した吊り下げロッド５２が摺動できるように構成されている。吊り下げロッド５２の周囲には、摺動部材６４と固定部材６５との間に挟まれて圧縮バネ５１が配置されている。吊り下げロッド５２には、スプリングケース５０内の位置決めのために鉛直方向に溝部６６が設けられている。そして、吊り下げロッド５２を上下動させたときに、所望の位置で固定できるように、固定部材６５の位置で溝部６６に嵌合する留めねじ６７が設けられている。
【００４３】
吊り下げロッド５２の下端には、回転用固定軸６８が設けられている。回転用固定軸６８に軸支された回転用部材６９は、胸部照射ブロック４５および腹部照射ブロック４６に接続されている。そのため、胸部照射ブロック４５および腹部照射ブロック４６は、吊り下げロッド５２に対して水平方向に回転自在となっている。
【００４４】
胸部照射ブロック４５および腹部照射ブロック４６は、使用前には、圧縮バネ５１により上方に付勢されており、使用者が例えば胸部照射ブロック４５を下方に引くと圧縮バネ５１が圧縮し、胸部照射ブロック４５は下方に移動するが、使用者が胸部照射ブロック４５を手放すと圧縮バネの弾性により胸部照射ブロック４５は元の位置に付勢される。そのため使用者は留めねじ６７を締結することにより胸部照射ブロック４５を所望の位置に固定する。
【００４５】
腹部照射ブロック４６に内蔵された電磁石７０は、コの字状のコアを有している。コアは、ケイ素鋼板の小片を積層してなる成層鉄心である。コアは、先端に対をなす２つの磁極板７０ａ，７０ｂが形成された脚部の後端部同士を結ぶ基部７０ｃを備え、２つの脚部には、それぞれ巻線７０ｄ，７０ｅが巻かれている。電磁石７０は、磁極板７０ａ，７０ｂが同一水平面に配置された磁極並置型電磁石である。電磁石７０は、磁極板７０ａ，７０ｂを寝台に対向させるように下方に向けた状態、すなわち、人体の腹部に対向するように配置されている。胸部照射ブロック４５に内蔵された電磁石（図示せず）は、電磁石７０と同型の磁極並置型電磁石であり、２つの磁極板を寝台に対向させるように下方に向けた状態、すなわち、人体の胸部に対向するように配置されている。
【００４６】
次に、脚部ユニット４は、図９および図１０に示すように、脚部支持基台７１と、脚部支持基台７１の上に載置された第１可動台７２と、第１可動台７２の上に載置された第２可動台５６とから構成されている。第１可動台７２と第２可動台７３とには、脚部電磁石群が配設されている。
【００４７】
脚部支持基台７１には、不図示の電源部に接続されて電源スイッチを備えた制御盤７４が設けられている。なお、電源スイッチは電気コード７５（図１参照）を介して操作器７６により操作可能であり、使用者が寝台に横臥した状態でも手元で操作することができる。
【００４８】
第１可動台７２及び第２可動台７３は、底部にキャスタ７７が配設され長手方向（人体の身長方向）水平に可動できる。第１可動台７２は、それぞれ電磁石の磁極が内蔵された直方体形状の腰部ブロック７８と、右側膝部ブロック７９と、左側膝部ブロック８０とを備えている。また、第２可動台７３は、電磁石が内蔵された直方体形状の足裏ブロック８１を備えている。
【００４９】
腰部ブロック７８は、第１可動台７２の胴体部ユニット４寄り端部に配置され、電磁石８２を内蔵している。電磁石８２は、コの字状のコアを有している。コアは、ケイ素鋼板の小片を積層してなる成層鉄心である。コアは、先端に対をなす２つの磁極板８２ａ，８２ｂが形成された脚部の後端部同士を結ぶ基部８２ｃを備え、２つの脚部には、それぞれ巻線８２ｄ，８２ｅが巻かれている。電磁石８２は、磁極板８２ａ，８２ｂが同一水平面に配置された磁極並置型電磁石である。電磁石８２は、磁極板８２ａ，８２ｂが上方を向いて、上方に横臥される人体の幅方向に沿って配列している。このため、寝台に仰向けに人体を横臥したときに、人体の股関節部に磁気照射することができる。
【００５０】
また、右側膝部ブロック７９と、左側膝部ブロック８０は、寝台に横臥する人体の幅方向に所定間隔を有して配設されている。右側膝部ブロック７９と、左側膝部ブロック８０とには、対向する２つの磁極板を有する電磁石８３が配設されている。この電磁石８３は、ケイ素鋼板の小片を積層してなる成層鉄心のコアを有している。コアは、基部８３ｃの両端に垂直にＬ字上の脚部が形成され、Ｌ字状の脚部の先端にそれぞれ磁極板８３ａ，８３ｂが形成されている。電磁石８３は、磁極板８３ａ，８３ｂが、図１０に示されるように互いに対向して配置された磁極対向型電磁石である。コアの脚部には、それぞれ巻線８３ｄ，８３ｅが巻かれている。右側膝部ブロック７９に巻線８３ｄと磁極板８３ｂとが内蔵され、左側膝部ブロック８０に巻線８３ｅと磁極板８３ａとが内蔵されている。そして、人体の幅方向に沿って２つの磁極板８３ａ，８３ｂが配列し、２つの磁極板８３ａ，８３ｂが間に人体の両脚側部を挟むようにして水平方向を向いている。このため、寝台に人体を横臥したときに、人体の両膝関節部に磁気照射することができる。
【００５１】
また、足裏ブロック８１は、第２可動台７３の寝台先端部寄りに配置され、電磁石８４を内蔵している。電磁石８４は、コの字状のコアを有している。コアは、ケイ素鋼板の小片を積層してなる成層鉄心である。コアは、先端に対をなす２つの磁極板８４ａ，８４ｂが形成された脚部の後端部同士を結ぶ基部８４ｃを備え、２つの脚部には、それぞれ巻線８４ｄ，８４ｅが巻かれている。電磁石８４は、磁極板８４ａ，８４ｂが同一水平面に配置された磁極並置型電磁石である。この電磁石８４は、磁極板８４ａ，８４ｂが水平方向人体側を向いて、人体の幅方向に沿って配列している。このため、寝台に人体を横臥したときに、人体の足裏に磁気照射することができる。以上が本実施形態の磁気治療装置１の構成である。
【００５２】
上記構成の磁気治療装置１は、所定の治療場所に運び込んだ頭部ユニット２と、胴体部ユニット３と、脚部ユニット４とを連結して寝台を組み立てて使用される。
【００５３】
磁気治療装置１の使用にあたっては、予め、頭部ユニット２の額部ブロック９が適切な位置に配置できるように調整しておく。すなわち、額部ブロック９の磁極板３４が人体の頭部を覆って額、眼、鼻など顔の適切な場所に対向するように、額部ブロック９の水平方向および鉛直方向の位置を調節する。この際、額部ブロック９は押し引きすることにより、水平方向に摺動するので、使用者は寝台に横臥した状態で額部ブロック９の水平位置を決めることができる。なお、鉛直方向の調節は調節ねじを回すことにより行う。
【００５４】
額部ブロック９の配設位置が決定したならば、額部ブロック９を水平方向に回動して、額部ブロック９を人体の外側に一旦退ける。そして、使用者が寝台に横臥した状態の位置に適合させて脚部ユニット４の第１可動台７２を水平方向に摺動させて、第１可動台７２上の腰部ブロック７８と、右側膝部ブロック７９と、左側膝部ブロック８０とを適所に配設する。さらに、第２可動台７３を水平方向に摺動させて、足裏ブロック８１を適所に配設する。このように、磁気治療装置１は、第１可動台７２及び第２可動台７３を移動させることにより、使用者の身長の差異によって生じる磁気照射位置のずれを解消することができる。
【００５５】
脚部ユニット４の第１可動台７２及び第２可動台７３の配置が決定したならば、胴体部ユニット３に備え付けられている胸部照射ブロック４５と、腹部照射ブロック４６の位置を調節する。具体的には、胸部照射ブロック４５と腹部照射ブロック４６とに内蔵された電磁石の磁極板が人体の胴体部上方を覆って胸部、腹部の適切な場所に対向するように、胸部照射ブロック４５と腹部照射ブロック４６の水平方向および鉛直方向の位置を調節する。なお、使用者は寝台に横臥した状態で胸部照射ブロック４５と腹部照射ブロック４６の位置を調整することができる。すなわち、横臥した使用者が胸部照射ブロック４５と腹部照射ブロック４６を自分の側に引っ張り、吊り下げロッド５２を適切に伸長させた状態で留めねじ６７を締めて鉛直方向の位置を決めることができる。
【００５６】
胸部照射ブロック４５と腹部照射ブロック４６の配置が決定したならば、頭部ユニット２の額部ブロック９を旋回させて、横臥した人体の頭部上方に移動させる。この状態で手元の操作器７６を操作すると、磁気治療装置１の電源が入り、各ユニット２〜４に配置された電磁石の巻線に電流が流れ、磁極板から磁気が発生し、人体の各所が磁気雰囲気中に包含される。所定時間（例えば４０分間）通電されることにより治療を効果的に行うことができる。
【００５７】
次に、本実施形態の磁気治療装置１の電気回路構成を説明する。
【００５８】
まず、電源投入時の突入電流を回避するための回路構成を説明する。磁気治療装置１は、電源投入時に回路に大電流が流れることを回避するために、電磁石群毎に複数段階に電源を投入できるように構成されている。
【００５９】
図１１に示される回路は、時間差通電制御を実現するシーケンス回路図である。この回路は、磁気治療装置１の電源投入時に、電磁石群毎に時間差を設けて４段階に電源を投入するものである。
【００６０】
図１１に示される回路は、電源の一端に対してリレーＡ、パワーリレーＢ，Ｃ，Ｄ，Ｅ、ブザーＢＺが接続されている。また、リレーＡに主タイマＴ、パワーリレーＢに小タイマＵ、パワーリレーＣに小タイマＶ、パワーリレーＤに小タイマＷ、ブザーＢＺに小タイマＸがそれぞれ設けられている。
【００６１】
リレーＡの接点Ａ１はリレーＡと電源の他端とを電気的に接続する。パワーリレーＢの接点Ｂ１，Ｂ２は、電源と出力接栓ＣＮ１とを電気的に接続し、出力接栓ＣＮ１は脚部ユニット４の電磁石群に接続されている。パワーリレーＣの接点Ｃ１，Ｃ２は、電源と出力接栓ＣＮ２とを電気的に接続し、出力接栓ＣＮ２は胴体部ユニット３の下面側胴部電磁石群に接続されている。パワーリレーＤの接点Ｄ１，Ｄ２は、電源と出力接栓ＣＮ３とを電気的に接続し、出力接栓ＣＮ３は胴体部ユニット３の上面側胴部電磁石群に接続されている。パワーリレーＥの接点Ｅ１，Ｅ２は、電源と出力接栓ＣＮ４とを電気的に接続し、出力接栓ＣＮ４は頭部ユニット２の電磁石群に接続されている。
【００６２】
パワーリレーＣは、小タイマＵの接点Ｕ１を介して制御盤７４の電源スイッチＳ１に接続されている。同様に、パワーリレーＤは小タイマＶの接点Ｖ１を介して、パワーリレーＥは小タイマＷの接点Ｗ１を介して、それぞれ電源スイッチＳ１に接続されている。また、小タイマＸは主タイマＴの接点Ｔ１を介して電源スイッチＳ１に接続されている。電源スイッチＳ１は小タイマＸの接点Ｘ１を介して電源の他端に接続されると共に停止スイッチＳ２と接続されている。なお、制御盤７４の電源スイッチＳ１は、電気コード７５を介して操作器７６の電源スイッチＳ３及び停止スイッチＳ４と接続されている。
【００６３】
上記構成のシーケンス回路は図１２に示されるタイミングチャートに従って以下のように動作する。図１１及び図１２を参照して、制御盤７４の電源スイッチＳ１、又は操作器７６の電源スイッチＳ３が押下されると、リレーＡ１がオンする（ステップ１）。これによって、接点Ａ１が閉じて主タイマＴがカウントを開始する（ステップ２）。
【００６４】
ステップ１でリレーＡ１がオンすると、パワーリレーＢもオンするので、接点Ｂ１，Ｂ２が閉じて出力接栓ＣＮ１に通電され、脚部ユニット４の脚部電磁石群の電源がオンする（ステップ３）。同時に、パワーリレーＢがオンすると、小タイマＵがカウントを開始する（ステップ４）。
【００６５】
そして、小タイマＵがタイムアップすると接点Ｕ１が閉じる（ステップ５）ので、パワーリレーＣがオンして接点Ｃ１，Ｃ２が閉じて、出力接栓ＣＮ２に通電される。これにより、胴体部ユニット３の下面側胴部電磁石群の電源がオンする（ステップ６）。また、小タイマＵの接点Ｕ１が閉じると、小タイマＶがカウントを開始する（ステップ７）。
【００６６】
次に、小タイマＶがタイムアップすると接点Ｖ１が閉じる（ステップ８）ので、パワーリレーＤがオンして接点Ｄ１，Ｄ２が閉じて、出力接栓ＣＮ３に通電される。これにより、胴体部ユニット３の上面側胴部電磁石群の電源がオンする（ステップ９）。また、小タイマＶの接点Ｖ１が閉じると、小タイマＷがカウントを開始する（ステップ１０）。
【００６７】
次に、小タイマＷがタイムアップすると接点Ｗ１が閉じる（ステップ１１）ので、パワーリレーＥがオンして接点Ｅ１，Ｅ２が閉じて、出力接栓ＣＮ４に通電される。これにより、頭部ユニット４の電磁石群の電源がオンする（ステップ１２）。
【００６８】
以上が電源投入時の動作である。上記小タイマＵ，Ｖ，Ｗは、各電磁石群に電源を投入する時間差を設定するためのものなので、例えば１〜５秒を計時するものを使用する。また、主タイマは、磁気治療装置１の稼動時間を計時するものであり、効果的な治療のために例えば４０分間の計時を行う。この主タイマＴがタイムアップすると接点Ｔ１が閉じる（ステップ１３）。これによって、小タイマＸがカウントを開始すると共に、治療終了を報知するためのブザーＢＺがオンする（ステップ１４）。ここで小タイマＸは、ブザーが稼動する時間を計時するものなので例えば２〜５秒に設定される。
【００６９】
次に、小タイマＸがタイムアップすると接点Ｘ１が開く（ステップ１５）。これによって、リレーＡがオフすると共に、主タイマＴの接点Ｔ１が開く（ステップ１６）。リレーＡがオフして接点Ａ１が開くと、この状態でオンしていたパワーリレー、小タイマがすべてブザーと共にオフする。この結果、出力接栓ＣＮ１〜ＣＮ４がオフしてすべての電磁石群の電源がオフする（ステップ１７）。
【００７０】
なお、制御盤７４の停止スイッチＳ２、又は操作器７６の停止スイッチＳ４が押下されると、リレーＡがオフするので、手動によって、電磁石群の電源をオフすることもできる。
【００７１】
上記のように、本実施形態の磁気治療装置１は、電磁石群毎に電源を投入する時間に差を設けることにより、装置全体に一括して電源を投入する場合に比べて、サージ電流を１／５から１／３にまで抑制することができ、家庭用の商用電源の使用に好適なものである。尚、電磁石群毎の電源投入順序は上記順番に限られるものではない。
【００７２】
次に、磁気治療装置１の電磁石の回路構成を説明する。
【００７３】
上述のように、胸部磁気照射ブロック４５、腹部磁気照射ブロック４６、腰部ブロック７８、足裏ブロック８１（以下単に磁気照射ブロック）には、磁極並置型電磁石が配設されている。図１３（ａ）に示されるように、磁気照射ブロック１００は、ケース１０１内に磁極並置型電磁石１０２とコンデンサ１０３とを備えている。図１３（ｂ）に示されるように、電磁石の成層鉄心に巻かれた第１の巻線１０４および第２の巻線１０５は極性を適合させて、第１の巻線の一端に設けられた端子１０４Ａと第２の巻線の一端に設けられた端子１０５Ａとが接続されている。また、第１の巻線の中間位置に設けられた端子１０４Ｂ、および第２の巻線の中間位置に設けられた端子１０５Ｂはそれぞれ電源（ＡＣ１００Ｖ）に接続されている。そして、第１の巻線の他端に設けられた端子１０４Ｃおよび第２の巻線の他端に設けられた端子１０５Ｃの間にコンデンサ１０３が接続されている。このような構成によれば、端子１０４Ａ，１０４Ｃ間の容量と端子１０４Ａ，１０４Ｂ間の容量との比は、端子１０４Ａ，１０４Ｃ間の巻数と端子１０４Ａ，１０４Ｂ間の巻数との比の自乗に反比例する。従って、端子１０４Ａ，１０４Ｃ間の容量は、端子１０４Ａ，１０４Ｂ間の容量の１／４となり、製作コストを低減することができる。
【００７４】
胴体部ユニット３に配設された下面側電磁石群の電磁石４１は、図１４に示されるように、巻線４１ｄと巻線４１ｅの極性を適合させて、巻線４１ｄの一端に設けられた端子１Ａと巻線４１ｅの一端に設けられた端子２Ａとが接続されている。また、巻線４１ｄの中間位置に設けられた端子１Ｂ、および巻線４１ｅの中間位置に設けられた端子２Ｂはそれぞれ電源（ＡＣ１００Ｖ）に接続されている。また、巻線４１ｄの他端に設けられた端子１Ｃと巻線４１ｅの他端に設けられた端子２Ｃの間にコンデンサ１０６が接続されている。下面側電磁石群の電磁石４２〜４４の各巻線も電磁石４１の巻線と同様に配線されている。巻線４２ｄ，４２ｅ，４３ｄ，４３ｅ，４４ｄ，４４ｅはそれぞれ、一端に端子３Ａ〜８Ａ、中間位置に端子３Ｂ〜８Ｂ、他端に端子３Ｃ〜８Ｃを備えている。このとき、コンデンサ１０６は１つだけ設けられ、４つの電磁石４１〜４４に対して並列に接続されている。コンデンサ１０６の容量は、個々の巻線に対応する容量を合計したものである。これによれば、コンデンサの設置個数を低減することができる。また、端子位置の巻線比が同一であれば個々の巻線のインダクタンスが異なっていても、この配線で構成することができるという利点がある。
【００７５】
上述のように各電磁石にコンデンサを接続することにより力率が改善され、コンデンサを設けない場合に比べて回路に流れる電流を約１／５〜１／３にすることができ、消費電力を減少させることができる。その結果、磁気治療装置１の消費電流は全体で約６アンペアとなり、一般家庭においても手軽に使用できる水準とすることができる。
【００７６】
次に、磁気治療装置１の頭部ユニット２に組み込まれた３個の電磁石（第１の電磁石１１、第２の電磁石１２、第３の電磁石１３）のうちの１つに極性切換制御を実現するためのシーケンス回路を説明する。
【００７７】
このシーケンス回路は、図１５に示されるように、電源の一端に対して、タイマＴと、リレーＡと、パワーリレーＢ，Ｃと、フリップフロップ回路Ｆとがそれぞれ接続されている。リレーＡには小タイマリレーＵと小タイマＶとがそれぞれ設けられている。タイマＴは、極性切換周期を計時するためのものであり、効果的な治療が行えるように例えば１〜５分を計時するように設定される。
【００７８】
タイマＴの接点Ｔ１とリレーＡの接点Ａ１はリレーＡに接続され、それぞれ小タイマＶの接点Ｖ１を介して電源の他端に接続されている。タイマＴは小タイマリレーＵの接点Ｕ１を介して電源の他端に接続されている。同様に、パワーリレーＢはリレーＡの接点Ａ２を介して、パワーリレーＣはフリップフロップ回路の接点Ｆ１を介して、フリップフロップ回路Ｆは小タイマＵの接点Ｕ２を介して、それぞれ電源の他端に接続されている。
【００７９】
上記リレーＡ、パワーリレーＢ，Ｃ、タイマＴ、および、フリップフロップ回路Ｆは、パワーリレーＢの接点Ｂ１，Ｂ２を介して第１の電磁石１１と、第２の電磁石１２と、第３の電磁石１３とに接続されている。第２の電磁石１２は、巻線２６と巻線２７との直列接続体である巻線Ｌ１を有し、巻線Ｌ１はパワーリレーＣの接点Ｃ１，Ｃ２を介してパワーリレーＢの接点Ｂ１，Ｂ２に接続されている。なお、上述のように、第２の電磁石１２は、２つの磁極板がそれぞれ右側頭部ブロック６および左側頭部ブロック７に内蔵されている。
【００８０】
第１の電磁石１１は、巻線１９と巻線２０との直列接続体である巻線Ｌ２を有し、巻線Ｌ２はパワーリレーＢの接点Ｂ１，Ｂ２に接続されている。同様に、第３の電磁石１３は、巻線３３と巻線３５との直列接続体である巻線Ｌ３を有し、巻線Ｌ３はパワーリレーＢの接点Ｂ１，Ｂ２に接続されている。なお、巻線Ｌ１，Ｌ２，Ｌ３に並列にコンデンサＣＡが接続されて各巻線に流れる電流を低減している。
【００８１】
このシーケンス回路は図１６に示されるタイミングチャートに従って以下のように動作する。図１５及び図１６を参照して、初期状態では、リレーＡの接点Ａ２が閉じており、小タイマリレーＵの接点Ｕ１と小タイマＶの接点Ｖ１も閉じている。また、巻線Ｌ１に接続されるパワーリレーＣの接点Ｃ１が、パワーリレーＢの接点Ｂ１側に接続され、巻線Ｌ１に接続されるパワーリレーＣの接点Ｃ２が、パワーリレーＢの接点Ｂ２側に接続されている。
【００８２】
電源が投入されると、タイマＴがカウントを開始すると共に、パワーリレーＢがオンするので接点Ｂ１，Ｂ２が閉じる（ステップ２１）。接点Ｂ１，Ｂ２が閉じると、巻線Ｌ１，Ｌ２，Ｌ３に通電される（ステップ２２）。これによって、電磁石１１，１２，１３の各磁極板から磁気が放出される。
【００８３】
この場合、例えば、図１７に示されるように、巻線Ｌ１に対応する第２の電磁石１２の磁極板２４はＳ極、磁極板２５はＮ極となる。また、巻線Ｌ２に対応する第１の電磁石１１の磁極板１７はＳ極、磁極板１８はＮ極となり、巻線Ｌ３に対応する第３の電磁石１３の磁極板３４はＳ極、磁極板３６はＮ極となる。
【００８４】
そして、タイマＴがタイムアップすると、タイマＴの接点Ｔ１が閉じてリレーＡがオンする。これによってリレーＡの接点Ａ１が閉じると共に、接点Ａ２が開く（ステップ２３）。ここで、接点Ａ１，Ａ２のそれぞれの開閉タイミングは等しく開閉動作は反転している。接点Ａ２が開くと、パワーリレーＢもオフするので、接点Ｂ１，Ｂ２も開き、巻線Ｌ１〜Ｌ３への通電が停止され、電磁石１１，１２，１３の各磁極板からの磁気放出も停止する（ステップ２４）。一方、ステップ２３で接点Ａ１が閉じると、小タイマリレーＵ及び小タイマＶがカウントを開始する（ステップ２５）。
【００８５】
そして、小タイマリレーＵがタイムアップすると、小タイマリレーＵの接点Ｕ１が開き、接点Ｕ２が閉じる（ステップ２６）。ここで接点Ｕ１，Ｕ２の開閉タイミングは等しく開閉動作は反転している。接点Ｕ１が開くと、タイマＴがオフする（ステップ２７）。
【００８６】
また、ステップ２６にて接点Ｕ２が閉じると、フリップフロップ回路Ｆがオンしてオン出力を行う。同時に、フリップフロップ回路Ｆの接点Ｆ１が閉じるので、パワーリレーＣがオンし、接点Ｃ１がパワーリレーＢの接点Ｂ２側に切り換わると共に、接点Ｃ２がパワーリレーＢの接点Ｂ１側に切り換わる（ステップ２８）。
この結果、巻線Ｌ１と電源との接続が切り換わり、巻線Ｌ１へ通電される電流の極性が切り換わることとなる。
【００８７】
そして、小タイマＶがタイムアップすると、接点Ｖ１が開く（ステップ２９）。この結果、リレーＡがオフするので、接点Ａ１が開き、且つ接点Ａ２が閉じると共に、小タイマリレーＵの接点Ｕ１が閉じて接点Ｕ２が開く（ステップ３０）。なお、フリップフロップ回路Ｆはパルス信号が入力する度に一定のオン／オフ信号を交互に出力し続けるので、接点Ｕ２が開いてもフリップフロップ回路の接点Ｆ１はオンし続ける。
【００８８】
ステップ３０の結果、リレーＡの接点Ａ２と小タイマリレーＵの接点Ｕ１が閉じているので、以後、上記ステップ２１と同様な動作を繰り返す。但し、このときには、初期状態の配線と異なり、巻線Ｌ１に接続されるパワーリレーＣの接点Ｃ１が、パワーリレーＢの接点Ｂ２側に接続され、巻線Ｌ１に接続されるパワーリレーＣの接点Ｃ２が、パワーリレーＢの接点Ｂ１側に接続されている。
【００８９】
このため、これに続くステップ２２に対応する動作は以下の通りである。すなわち、接点Ｂ１，Ｂ２が閉じると、巻線Ｌ１，Ｌ２，Ｌ３に通電される。このときに、電磁石１１，１２，１３の各磁極板から磁気が放出される様子は、例えば、図１８に示されるように、巻線Ｌ１に対応する第２の電磁石１２の磁極板２４はＮ極、磁極板２５はＳ極となる。従って、図１７に示される第２の電磁石１２の極性と反転している。なお、巻線Ｌ２に対応する第１の電磁石１１の磁極板１７はＳ極、磁極板１８はＮ極となり、巻線Ｌ３に対応する第３の電磁石１３の磁極板３４はＳ極、磁極板３６はＮ極となっており、それぞれ極性は変化せずに図１７に示される状態と同一である。
【００９０】
以下、上記ステップ２３〜２７までと同様に接点開閉動作を繰り返す。すなわち、タイマＴがタイムアップすると、タイマＴの接点Ｔ１が閉じてリレーＡがオンする。これによってリレーＡの接点Ａ１が閉じると共に、接点Ａ２が開く。接点Ａ２が開くと、パワーリレーＢもオフするので、接点Ｂ１，Ｂ２も開き、巻線Ｌ１〜Ｌ３への通電が停止され、電磁石１１，１２，１３の各磁極板からの磁気放出も停止する。一方、接点Ａ１が閉じると、小タイマリレーＵ及び小タイマＶがカウントを開始する。そして、小タイマリレーＵがタイムアップすると、小タイマリレーＵの接点Ｕ１が開き、接点Ｕ２が閉じる。接点Ｕ１が開くと、タイマＴがオフする。
【００９１】
続いて、小タイマリレーＵの接点Ｕ２が閉じたときに、フリップフロップ回路Ｆがオフ出力を行う。同時に、フリップフロップ回路Ｆの接点Ｆ１が開くので、パワーリレーＣがオフし、接点Ｃ１がパワーリレーＢの接点Ｂ１側に切り換わると共に、接点Ｃ２がパワーリレーＢの接点Ｂ２側に切り換わる。すなわち、初期状態と同様に、巻線Ｌ１に接続されるパワーリレーＣの接点Ｃ１が、パワーリレーＢの接点Ｂ１側に接続され、巻線Ｌ１に接続されるパワーリレーＣの接点Ｃ２が、パワーリレーＢの接点Ｂ２側に接続されることとなる。
【００９２】
以下、上記ステップ２９、３０と同様に接点開閉動作を繰り返す。すなわち、小タイマＶがタイムアップすると、接点Ｖ１が開き、その結果、リレーＡがオフするので、接点Ａ１が開き、且つ接点Ａ２が閉じると共に、小タイマリレーＵの接点Ｕ１が閉じて接点Ｕ２が開く。
【００９３】
そして、再び上記ステップ２１に戻る。このとき、初期状態と同じ配線となっている。以上の動作を電源がオンしている間繰り返すことにより、巻線Ｌ１が巻かれた電磁石１２の磁極板２４，２５から放出される磁気の極性を周期的に反転させることができる。
【００９４】
上記実施形態によれば、頭部ユニット２の各電磁石に囲まれた空間の磁気分布の偏りを矯正し、経時的に均一な磁気分布を実現することができる。従って、人体に効果的な治療を施すことができる。
【００９５】
上記実施形態では、巻線Ｌ１（電磁石１２）の極性切換制御をしたが、これに限らず、いずれの巻線（電磁石）に対して極性切換制御を行ってもよく、又、２つの巻線に対して極性切換制御をするようにしてもよい。
【図面の簡単な説明】
【００９６】
【図１】本実施形態の磁気治療装置の外観斜視図である。
【図２】頭部ユニットの装着の電磁石群の斜視図である。
【図３】胴体部ユニットの構成図である。
【図４】胴体部ユニット内蔵の電磁石群の斜視図である。
【図５】胴体部ユニット内蔵の電磁石間を結ぶ垂直面上の磁界分布特性曲線である。
【図６】胴体部ユニット備え付けの胸部、腹部照射ブロック及びその支持機構の外観斜視図である。
【図７】第１アームおよび第２アームの旋回機構の詳細図である。
【図８】スプリングケースおよび吊り下げロッドの詳細図である。
【図９】脚部ユニットの外観斜視図である。
【図１０】脚部ユニットの構成図である。
【図１１】時間差通電制御を実現するシーケンス回路図である。
【図１２】時間差通電制御を説明するためのタイムチャートである。
【図１３】磁気照射ブロック単体の節電構成図である。
【図１４】電磁石群の節電構成を示すコンデンサ結線図である。
【図１５】頭部ユニットに組み込まれた３個の電磁石に極性切換制御を実現するためのシーケンス回路図である。
【図１６】頭部ユニットに組み込まれた３個の電磁石に適用された極性切換制御のタイムチャートである。
【図１７】頭部ユニットに組み込まれた３個の電磁石における極性切換制御の説明図（切換前）である。
【図１８】頭部ユニットに組み込まれた３個の電磁石における極性切換制御の説明図（切換後）である。
【符号の説明】
【００９７】
１  磁気治療装置
２  頭部ユニット
３  胴体部ユニット
４  脚部ユニット
５  頭部支持基台
６  右側頭部ブロック
７  左側頭部ブロック
８  頭頂部ブロック
９  額部ブロック
１１  第１の電磁石
１２  第２の電磁石
１３  第３の電磁石
１４  基部
１５，１６  脚部
１７，１８  磁極板
１９，２０  巻線
２１  基部
２２，２３  脚部
２４，２５  磁極板
２６，２７  巻線
２８  下側基部
２９  上側基部
３０，３１  脚部
３２  Ｌ字脚部
３３  巻線
３４  磁極板
３５  巻線
３６  磁極板
３７  把手
４０  胴体部支持基台
４１〜４４  電磁石
４５  胸部照射ブロック
４６  腹部照射ブロック
４７  支柱
４８  第１アーム
４９  第２アーム
５０  スプリングケース
５１  圧縮バネ
５２  吊り下げロッド
５３  シャフト
５４  固定部材
５５，５６  ネジ
５７，５８  軸受部材
５９  シャフト
６０  固定部材
６１，６２  ネジ
６３  軸受部材
６４  摺動部材
６５  固定部材
６６  溝部
６７  留めねじ
６８  回転用固定軸
６９  回転用部材
７０  電磁石
７１  脚部支持基台
７２  第１可動台
７３  第２可動台
７４  制御盤
７５  電気コード
７６  操作器
７７  キャスタ
７８  腰部ブロック
７９  右側膝部ブロック
８０  左側膝部ブロック
８１  足裏ブロック
８２，８３，８４  電磁石
１００  磁気照射ブロック
１０１  ケース
１０２  磁極並置型電磁石
１０３  コンデンサ
１０４  第１の巻線
１０５  第２の巻線
１０６  コンデンサ
【図１】
2005237681.tif 000003
【図２】
2005237681.tif 000004
【図３】
2005237681.tif 000005
【図４】
2005237681.tif 000006
【図５】
2005237681.tif 000007
【図６】
2005237681.tif 000008
【図７】
2005237681.tif 000009
【図８】
2005237681.tif 000010
【図９】
2005237681.tif 000011
【図１０】
2005237681.tif 000012
【図１１】
2005237681.tif 000013
【図１２】
2005237681.tif 000014
【図１３】
2005237681.tif 000015
【図１４】
2005237681.tif 000016
【図１５】
2005237681.tif 000017
【図１６】
2005237681.tif 000018
【図１７】
2005237681.tif 000019
【図１８】
2005237681.tif 000020